(57)【要約】【課題】画像処理のパラメータ設定に係る処理と他の処理とを、時分割により効率良く実行させることができる画像処理制御装置、画像形成装置、及び、画像処理制御方法を提供すること。【解決手段】複数の画像処理のそれぞれ又は前記画像処理の内部処理毎に設定するパラメータの情報である制御内容を、前記パラメータの設定に係る動作毎に管理する制御内容管理手段と、前記動作毎に、前記制御内容毎の処理量を管理する処理量管理手段と、前記動作が同一の前記制御内容において、前記処理量の積算が所定の値以下の一以上の前記制御内容毎に、前記パラメータの設定に係る処理を実行する制御実行手段と、を有する画像処理制御装置。【選択図】図１
2011109617.tif 000002
【特許請求の範囲】
【請求項１】
複数の画像処理のそれぞれ又は前記画像処理の内部処理毎に設定するパラメータの情報である制御内容を、前記パラメータの設定に係る動作毎に管理する制御内容管理手段と、
前記動作毎に、前記制御内容毎の処理量を管理する処理量管理手段と、
前記動作が同一の前記制御内容において、前記処理量の積算が所定の値以下の一以上の前記制御内容毎に、前記パラメータの設定に係る処理を実行する制御実行手段と、
を有することを特徴とする画像処理制御装置。
【請求項２】
前記制御内容管理手段は、前記制御内容を、前記動作を指定する第１の階層、前記画像処理を指定する第２の階層、及び、指定された前記画像処理の内部処理を指定する第３の階層に分割して管理することを特徴とする請求項１記載の画像処理制御装置。
【請求項３】
前記パラメータの設定に係る動作は、設定される前記パラメータの種類を選択する画像モード選択動作、前記パラメータを計算するパラメータ計算動作、及び、計算される前記パラメータを対応する前記画像処理又は前記内部処理に対して設定するパラメータ設定動作、を含むことを特徴とする請求項２記載の画像処理制御装置。
【請求項４】
前記画像モード選択動作を行う画像モード選択手段と、
前記パラメータ計算動作を行うパラメータ計算手段と、
前記パラメータ設定動作を行うパラメータ設定手段と、
を有することを特徴とする請求項３記載の画像処理制御装置。
【請求項５】
前記第１の階層、前記第２の階層、及び、前記第３の階層のそれぞれの階層毎の制御状態を保持する制御状態保持手段を有することを特徴とする請求項２ないし４何れか一項に記載の画像処理制御装置。
【請求項６】
前記階層毎の制御状態に基づいて、前記パラメータの設定に係る処理の終了を判断する制御管理手段を有することを特徴とする請求項５記載の画像処理制御装置。
【請求項７】
画像入力手段又は画像出力手段に係る複数の画像処理のそれぞれ又は前記画像処理の内部処理毎に設定するパラメータの情報である制御内容を、前記パラメータの設定に係る動作毎に管理する制御内容管理手段と、
前記動作毎に、前記制御内容毎の処理量を管理する処理量管理手段と、
前記動作が同一の前記制御内容において、前記処理量の積算が所定の値以下の一以上の前記制御内容毎に、前記パラメータの設定に係る処理を実行する制御実行手段と、
を有することを特徴とする画像形成装置。
【請求項８】
複数の画像処理のそれぞれ又は前記画像処理の内部処理毎に設定するパラメータの情報である制御内容を、前記パラメータの設定に係る動作毎に管理する制御内容管理ステップと、
前記動作毎に、前記制御内容毎の処理量を取得する処理量取得ステップと、
前記動作が同一の前記制御内容において、前記処理量の積算が所定の値以下の一以上の前記制御内容毎に、前記パラメータの設定に係る処理を実行する制御実行ステップと、
を有することを特徴とする画像処理制御方法。
【発明の詳細な説明】
【技術分野】
【０００１】
本発明は、画像処理制御装置、画像形成装置、及び、画像処理制御方法に関する。
【背景技術】
【０００２】
従来から、画像形成装置等における画像処理を効率良く制御する技術がある。ディジタル複写機に用いられる画像処理装置は、種々の画像データに、それぞれ好適な画像処理を行う必要がある。そこで、画像処理制御ソフト等が、操作部等から入力される設定の内容に基づいて、画像データ毎に対応する画像処理に適したパラメータを算出して画像処理デバイスに設定する。
【０００３】
画像形成装置における１のジョブにおいて、パラメータを算出して設定する一連の処理は、複数の画像処理モジュールに対してそれぞれ使用するパラメータを算出して設定するため、連続的に多くの時間を必要とする。
【０００４】
そこで、これの時間を減ずるための技術がある。例えば、特開２００８−３９２５号公報（特許文献１）には、レジスタに対する設定処理の回数を減らすために、既に設定されている処理データと、処理に必要な処理データとの差分を管理するハードウェアデバイス制御装置等の発明が開示されている。
【発明の概要】
【発明が解決しようとする課題】
【０００５】
しかしながら、上記特許文献１に開示の装置等の発明では、差分となる処理データのみを設定する場合であっても、パラメータの設定に係る処理時間に制限が設けられていない。パラメータの設定に係る動作が実行されている間は、他の処理の実行が妨げられるため、画像形成装置等の全体の処理を効率良く行うことができないことがある。
【０００６】
本発明は、上記の点に鑑みて、これらの問題を解消するために発明されたものであり、画像処理のパラメータ設定に係る処理と他の処理とを、時分割により効率良く実行させることができる画像処理制御装置、画像形成装置、及び、画像処理制御方法を提供することを目的としている。
【課題を解決するための手段】
【０００７】
上記目的を達成するために、本発明の画像処理制御装置は次の如き構成を採用した。本発明の画像処理制御装置は、複数の画像処理のそれぞれ又は前記画像処理の内部処理毎に設定するパラメータの情報である制御内容を、前記パラメータの設定に係る動作毎に管理する制御内容管理手段と、前記動作毎に、前記制御内容毎の処理量を管理する処理量管理手段と、前記動作が同一の前記制御内容において、前記処理量の積算が所定の値以下の一以上の前記制御内容毎に、前記パラメータの設定に係る処理を実行する制御実行手段と、を有する構成とすることができる。
【０００８】
これにより、画像処理のパラメータ設定に係る処理と他の処理とを、時分割により効率良く実行させることができる画像処理制御装置を提供することができる。
【０００９】
なお、上記課題を解決するため、本発明は、上記画像処理制御装置を有する画像形成装置、又は、上記画像処理制御装置における画像処理制御方法としてもよい。
【発明の効果】
【００１０】
本発明の画像処理制御装置、画像形成装置、及び、画像処理制御方法によれば、画像処理のパラメータ設定に係る処理と他の処理とを、時分割により効率良く実行させることができる画像処理制御装置、画像形成装置、及び、画像処理制御方法を提供することが可能になる。
【図面の簡単な説明】
【００１１】
【図１】図１は、画像処理制御装置１の機能構成の例を示す図である。
【図２】図２は、画像処理のパラメータ設定に係る処理を説明する図である。
【図３】図３は、パラメータ設定に係る処理において存在する組み合わせのそれぞれに対する処理量を説明する図である。
【図４】図４は、画像処理制御方法を説明するフロー図である。
【図５】図５は、第１階層の処理を説明するフロー図である。
【図６】図６は、第２階層のパラメータ計算の処理（その１）を説明するフロー図である。
【図７】図７は、第２階層のパラメータ設定の処理（その１）を説明するフロー図である。
【図８】図８は、第２階層のパラメータ計算の処理（その２）を説明するフロー図である。
【図９】図９は、第２階層のパラメータ設定の処理（その２）を説明するフロー図である。
【図１０】図１０は、第３階層の色補正処理のパラメータ計算を行う処理を説明するフロー図である。
【図１１】図１１は、第３階層の階調処理のパラメータ計算を行う処理を説明するフロー図である。
【図１２】図１２は、画像形成装置を実現するコンピュータの構成を説明する図である。
【発明を実施するための形態】
【００１２】
以下、本発明の実施の形態を図面に基づき説明する。なお、本明細書および図面において、実質的に同一の機能構成を有する構成要素については、同一の符号を付することにより重複説明を省略する。
【００１３】
〔本発明の実施の形態〕
図１は、本実施の形態に係る画像処理制御装置１の機能構成の例を示す図である。図１の画像処理制御装置１は、制御部８０、制御状態保持手段７０、及び、制御管理手段９０を有する。
【００１４】
制御部８０は、所定の処理量毎に、連続して画像処理のパラメータ設定に係る処理を実行する。制御部８０は、制御内容管理手段１０、制御実行手段２０、処理量管理手段６０、及び、処理量情報保持手段６９を有する。
【００１５】
制御内容管理手段１０は、画像処理の内部処理に対するパラメータ設定に係る処理を、階層的に管理する。より詳細には、パラメータ設定の動作の設定を第１階層とし、設定された動作の対象となる画像処理モジュール４１の指定を第２階層とし、指定された画像処理モジュール４１内の内部処理５１の指定を第３階層とする。
【００１６】
制御内容管理手段１０は、画像処理の内容毎に、第１階層ないし第３階層から、それぞれ、対応する動作、画像処理モジュール４１、及び、内部処理５１を選択する。
【００１７】
制御実行手段２０は、処理量管理手段６０により、一度に連続して実行できると判断される複数のパラメータ設定に係る処理を、連続して処理させる。制御実行手段２０は、制御内容管理手段１０が管理する階層毎に、制御状態の情報を生成して、制御状態保持手段７０に保持させる。制御実行手段２０は、動作設定部３０、モジュール部４０、及び、内部処理部５０を有する。
【００１８】
動作設定部３０は、第１階層の処理を実行し、モジュール部４０は、第２階層の処理を実行し、内部処理部５０は、第３階層の処理を実行する。
【００１９】
動作設定部３０は、パラメータ設定に係る動作の設定を行う。動作設定部３０は、画像モード設定手段３１、パラメータ計算手段３２、及び、パラメータ設定手段３３を有する。画像モード設定手段３１は、画像処理のパラメータ設定に係る処理において、画像モードを設定する。より詳細には、画像モード設定手段３１は、画像処理する画像データの種類を選択する。画像処理する画像データの種類は、例えば、スキャンされた画像データ、プリントする画像データ、及び、機能を指定する画像データ等である。そこで、画像モード設定手段３１によって選択される画像モードは、「スキャン動作用」、「プリント動作用」、及び、「機能指定動作用」となる。
【００２０】
パラメータ計算手段３２は、設定するパラメータを計算する。パラメータ計算の対象となる画像処理モジュール４１又は内部処理５１は、モジュール部４０及び内部処理部５０から、それぞれ選択される。この選択は、制御内容管理手段１０が行う。
【００２１】
パラメータ設定手段３３は、パラメータ計算手段３２が計算したパラメータを、対象となる画像処理モジュール４１又は内部処理５１に対して設定する。パラメータ設定の対象となる画像処理モジュール４１又は内部処理５１は、モジュール部４０及び内部処理部５０から、それぞれ選択される。この選択は、制御内容管理手段１０が行う。
【００２２】
モジュール部４０は、制御内容管理手段１０の指定により、パラメータ設定に係る処理を行う画像処理モジュール４１を、画像処理モジュール４１ａないし４１ｃから選択する。なお、画像処理モジュールのうちの何れか一つを「画像処理モジュール４１」という。画像処理モジュール４１は、例えば、フィルタ処理、色補正処理、階調処理、γ処理等の何れか一以上の画像処理を行う。
【００２３】
内部処理部５０は、制御内容管理手段１０の指定により、パラメータ設定に係る処理を行う内部処理５１を、内部処理５１ａないし内部処理５１ｃから選択する。なお、内部処理のうちの何れか一つを、「内部処理５１」という。内部処理５１は、例えば、色相分割処理、マスキング係数処理、特徴量処理、ディザしきい値処理、γ計算処理等である。
【００２４】
処理量管理手段６０は、画像モード毎、画像処理毎、及び、画像処理の内部の処理毎のパラメータ設定に係る処理の処理量に基づいて、複数の処理が、一度に連続して実行できる処理量か否かを判断する。処理量情報保持手段６９は、画像モード毎、画像処理毎、及び、画像処理の内部の処理毎の処理量の情報を保持する。
【００２５】
制御状態保持手段７０は、制御実行手段２０が出力する制御状態の情報を保持する。制御状態の情報は、制御内容管理手段１０によって指定される、画像処理モジュール４１又は内部処理５１毎に、パラメータ設定に係る処理の対象となる画像モジュール４１、又は、内部処理５１であるか否かの情報、及び、それらに対する処理が終了しているか否かの情報を含む。
【００２６】
制御管理手段９０は、制御状態保持手段７０が保持する制御状態の情報に基づいて、パラメータ設定に係る処理の制御を行う。より詳細には、パラメータ設定に係る処理の全体が終了したか否かの判断、設定するパラメータの計算が終了したか否かの判断、及び、計算されたパラメータの設定が終了したか否かの判断等を行う。これにより、一の制御状態が終了した後に、次の制御状態に遷移させることができる。
【００２７】
図２は、制御内容管理手段１０が管理する画像処理のパラメータ設定に係る処理を説明する図である。第１階層には、「画像モード設定処理」、「パラメータ計算処理」、「パラメータ設定処理」の３つが属する。
【００２８】
第２階層には、複数の画像処理が属する。より詳細には、例えば、「フィルタ処理」、「分離処理」、「色補正処理」、「γ処理」、及び、「階調処理」が属する。第３階層には、第２階層の画像処理の内部処理が属する。より詳細には、例えば、「フィルタ係数計算処理」、「色相分割処理」、「マスキング係数処理」、「γ計算処理」、及び、「特徴量処理」が属する。
【００２９】
図３は、第１階層から第３階層までの組み合わせのうち、パラメータ設定に係る処理において存在する組み合わせのそれぞれに対する処理量を説明する図である。図３の処理量は、１から１０の自然数で表される。この処理量の情報は、処理量情報保持手段６９に保持される。
【００３０】
図４は、本実施形態に係る画像処理制御方法を説明するフロー図である。図４は、画像処理制御方法の全体の処理の説明である。図４のステップＳ１０１では、処理量管理手段６０が、処理量の積算値を０にする。
【００３１】
ステップＳ１０１に続いてステップＳ１０２に進み、処理量管理手段６０が、制御状態保持手段７０が保持する、第１階層、第２階層、及び、第３階層の制御状態の情報から、処理量情報保持手段６９に保持される処理量を参照して、次に実行するパラメータ設定に係る処理の処理量を求める。
【００３２】
ステップＳ１０２に続いてステップＳ１０３に進み、処理量管理手段６０が、既に積算されている処理量の積算値に、ステップＳ１０２で求めた次に実行するパラメータ設定に係る処理の処理量を加算する。ステップＳ１０３に続いてステップＳ１０４に進み、処理量管理手段６０が、ステップＳ１０３で求めた処理量の積算値が所定の閾値を超えたか否かを判断する。所定の閾値を超えた場合には、処理を終了し、所定の閾値を超えていない場合には、ステップＳ１０５に進む。
【００３３】
ステップＳ１０４に続くステップＳ１０５では、制御実行手段２０が、第１階層、第２階層、及び、第３階層の制御状態の情報に基づいて、パラメータ設定に係る処理を実行する。制御実行手段２０は、さらに、パラメータ設定に係る処理の実行により、各階層の制御状態の情報を新たに生成し、制御状態保持手段７０に保持されている情報を更新する。
【００３４】
ステップＳ１０５に続いてステップＳ１０６に進み、制御管理手段９０が、制御状態保持手段７０に保持される制御状態の情報に基づいて、次に実行する制御があるか否かを判断する。次に実行する制御がある場合には、ステップＳ１０２に戻って処理を繰り返す。次に実行する処理が無い場合には、ステップＳ１０７に進む。
【００３５】
ステップＳ１０６に続くステップＳ１０７では、制御管理手段９０が、処理の完了を通知する。
【００３６】
図５から図１１は、制御実行手段２０が、各階層に対して実行するパラメータ設定に係る処理を説明する図である。図５から図１１の処理は、図４のステップＳ１０５において、実行される。ここでは、パラメータ設定に係る処理を行う画像処理モジュールが、「色補正処理」と「階調処理」、内部処理が「色相分割処理」と「マスキング計算処理」の例について、説明する。
【００３７】
図５は、第１階層の処理を説明する図である。図５のステップＳ１１は、制御実行手段２０が、制御状態保持手段７０に保持されている第１階層の制御状態の情報から、現在の第１階層の制御状態を判断する。第１階層の制御状態の情報の値が「状態０」の場合は、ステップＳ１２に進む。ステップＳ１２では、画像モード設定手段３１が、画像モード設定処理を実行する。
【００３８】
またステップＳ１１において、第１階層の制御状態の情報の値が「状態１」の場合は、ステップＳ１３に進む。ステップＳ１３では、パラメータ計算手段３２が、パラメータ計算の処理を行う。さらにステップＳ１１において、第１階層の制御状態の情報の値が「状態２」の場合は、ステップＳ１４に進む。ステップＳ１４では、パラメータ設定手段３３が、パラメータ設定の処理を行う。
【００３９】
ステップＳ１２ないしステップＳ１４のそれぞれの処理に続いてステップＳ１５に進み、制御状態保持手段７０に保持されている第１階層の制御状態の情報を更新する。
【００４０】
図６は、パラメータ計算手段３２が実行するパラメータ計算の処理を説明するフロー図である。図６の処理は、図５のステップＳ１３において実行される。
【００４１】
図６のステップＳ２１では、制御実行手段２０が、制御状態保持手段７０が保持する制御状態の情報のうち、第２階層の制御状態の情報から、現在の第２階層の制御状態を判断する。第２階層の制御状態の情報の値が「状態０」の場合は、ステップＳ２２に進む。ステップＳ２２では、色補正処理のパラメータを計算する。一方、ステップＳ２１において、第２階層の制御状態の情報の値が「状態１」の場合は、ステップＳ２３に進む。ステップＳ２３では、階調処理のパラメータを計算する。
【００４２】
ステップＳ２２及びステップＳ２３の何れか一に続いてステップＳ２４に進み、制御状態保持手段７０に保持されている第２階層の制御状態の情報を更新する。
【００４３】
図７は、パラメータ設定手段３３が実行するパラメータ設定の処理を説明するフロー図である。図７の処理は、図５のステップＳ１４において実行される。
【００４４】
図７のステップＳ３１では、制御実行手段２０が、制御状態保持手段７０が保持する制御状態の情報のうち、第２階層の制御状態の情報から、現在の第２階層の制御状態を判断する。第２階層の制御状態の情報の値が「状態０」の場合は、ステップＳ３２に進む。ステップＳ３２では、図６のステップＳ２２で計算された色補正処理のパラメータを設定する。一方、ステップＳ３１において、第２階層の制御状態の情報の値が「状態１」の場合は、ステップＳ３３に進む。ステップＳ３３では、図６のステップＳ２３において計算された階調処理のパラメータを設定する。
【００４５】
ステップＳ３２及びステップＳ３３の何れか一に続いてステップＳ３４に進み、制御状態保持手段７０に保持されている第２階層の制御状態の情報を更新する。
【００４６】
図８及び図９は、それぞれ、パラメータ計算の処理及びパラメータ設定の処理を説明するフロー図である。図８及び図９において、パラメータが計算及び設定される画像処理モジュールは、図６及び図７と同様に、「色補正処理」と「階調処理」である。図８及び図９は、図６及び図７の処理に加えて、色補正処理のパラメータに係る処理の際に用いるメモリ領域の確保と解放とが行われる。
【００４７】
図８は、色補正処理のパラメータ計算の際にメモリ領域の確保を行う処理を含むパラメータ計算の処理を説明するフロー図である。図８において、図６と同一の処理を行うステップは、図６と同一の符号を付し、ここでは、説明を省略する。
【００４８】
図８の処理は、図６の処理にステップＳ２１０の処理が加えられている。ステップＳ２１０は、ステップＳ２１とステップＳ２２との間に設けられる。ステップＳ２１０は、色補正処理のパラメータを計算する際に用いるメモリ領域の確保が行われる。
【００４９】
図９は、色補正処理のパラメータ計算の際に用いたメモリ領域の解放を行う処理を含むパラメータ設定の処理を説明するフロー図である。図９において、図７と同一の処理を行うステップは、図７と同一の符号を付し、ここでは、説明を省略する。
【００５０】
図９の処理は、図７の処理にステップＳ３２０の処理が加えられている。ステップＳ３２０は、ステップＳ３２とステップＳ３４との間に設けられる。ステップＳ３２０は、色補正処理のパラメータを計算した際に用いられたメモリ領域の解放が行われる。
【００５１】
図１０及び図１１は、第３階層の処理を説明するフロー図である。ここでは、パラメータ計算の処理について説明する。これらの処理は、パラメータ計算手段３２によって実行される。
【００５２】
図１０は、色補正処理のパラメータ計算を行う処理を説明するフロー図である。図１０のステップＳ４１では、制御実行手段２０が、制御状態保持手段７０が保持する制御状態の情報のうち、第３階層の制御状態の情報から、現在の第３階層の制御状態を判断する。第３階層の制御状態の情報の値が「状態０」の場合は、ステップＳ４２に進む。ステップＳ４２では、色相分割処理のパラメータを計算する。一方、ステップＳ４１において、第３階層の制御状態の情報の値が「状態１」の場合は、ステップＳ４３に進む。ステップＳ４３では、マスキング計算処理のパラメータを計算する。
【００５３】
ステップＳ４２及びステップＳ４３の何れか一に続いてステップＳ４４に進み、制御状態保持手段７０に保持されている第３階層の制御状態の情報を更新する。
【００５４】
図１１は、階調処理のパラメータ計算を行う処理を説明するフロー図である。図１１のステップＳ５１では、制御実行手段２０が、制御状態保持手段７０が保持する制御状態の情報のうち、第３階層の制御状態の情報から、現在の第３階層の制御状態を判断する。第３階層の制御状態の情報の値が「状態０」の場合は、ステップＳ５２に進む。ステップＳ５２では、特徴量処理のパラメータを計算する。一方、ステップＳ５１において、第３階層の制御状態の情報の値が「状態１」の場合は、ステップＳ５３に進む。ステップＳ５３では、しきい値計算処理のパラメータを計算する。
【００５５】
ステップＳ５２及びステップＳ５３の何れか一に続いてステップＳ５４に進み、制御状態保持手段７０に保持されている第３階層の制御状態の情報を更新する。
【００５６】
（コンピュータ等による実現）
図１２は、本発明の実施の形態に係る画像形成装置を実現するコンピュータの構成を説明する図である。図１２のコンピュータは、主処理部４００、入力装置４１０、表示装置４２０、スキャナ４３０、プロッタ４４０、ＮＩＣ４６０、ドライブ装置４８０、ハードディスク装置（以下、「ＨＤＤ」という。）４９０、入力Ｉ／Ｆ４１９、表示Ｉ／Ｆ４２９、スキャナＩ／Ｆ４３９、プロッタＩ／Ｆ４４９、ドライブＩ／Ｆ４８９、及び、ＨＤＤＩ／Ｆ４９９を有する。
【００５７】
主処理部４００は、コンピュータプログラムを実行して各機能を実現する。主処理部４００は、例えば、ＣＰＵ４０１、ＲＯＭ４０８、及び、ＲＡＭ４０９を有する。ＣＰＵ４０１は、コンピュータプログラムを実行することにより、コンピュータが有する各デバイス等の制御を行う。ＲＯＭ４０８は、例えば、コンピュータプログラムやパラメータ等が格納され、ＣＰＵ４０１にそれらが供せられる。ＲＡＭ４０９は、例えば、ＣＰＵ４０１がコンピュータプログラムを実行する際のワークメモリとして供せられる。
【００５８】
入力装置４１０は、例えば、キーボードやマウス等の入力デバイスとして構成され、コンピュータに対する指示等が入力される。表示装置４２０は、コンピュータの状態等が表示される。スキャナ４３０は、画像を光学的に読み取って、画像データを生成する。プロッタ４４０は、媒体上に画像を形成して出力する。
【００５９】
ＮＩＣ４６０は、コンピュータと外部とをネットワークを介して接続する際のインタフェースの機能を実現し、その制御を行う。ドライブ装置４８０は、記録媒体が挿入され、その記録媒体に記録された情報を読み出し、またその記録媒体に情報を記録する。ＨＤＤ４９０は、大容量のデータを格納する記憶手段である。
【００６０】
入力Ｉ／Ｆ４１９は、表示Ｉ／Ｆ４２９、スキャナＩ／Ｆ４３９、プロッタＩ／Ｆ４４９、ドライブＩ／Ｆ４８９、及び、ＨＤＤ−Ｉ／Ｆ４９９は、それぞれ、入力装置４１０、表示装置４２０、スキャナ４３０、プロッタ４４０、ドライブ装置４８０、及び、ＨＤＤ４９０がバスを介して主処理部４００と接続される際のインタフェースである。
【００６１】
以上、発明を実施するための最良の形態について説明を行ったが、本発明は、この最良の形態で述べた実施の形態に限定されるものではない。本発明の主旨をそこなわない範囲で変更することが可能である。
【産業上の利用可能性】
【００６２】
以上のように、本発明にかかる画像処理制御装置は、制御処理と他の処理とを効率良く実行することに有用であり、特に、画像形成装置に適している。
【符号の説明】
【００６３】
１      画像処理制御装置
１０    制御内容管理手段
２０    制御実行手段
３０    動作設定部
３１    画像モード設定手段
３２    パラメータ計算手段
３３    パラメータ設定手段
４０    モジュール部
４１、４１ａ、４１ｂ、４１ｃ  画像モジュール
５０    内部処理部
５１、５１ａ、５１ｂ、５１ｃ  内部処理
６０    処理量管理手段
６９    処理量情報保持手段
７０    制御状態保持手段
８０    制御部
９０    制御管理手段
４００  主処理部
４１０  入力装置
４１９  入力Ｉ／Ｆ
４２０  表示装置
４２９  表示Ｉ／Ｆ
４３０  スキャナ
４３９  スキャナＩ／Ｆ
４４０  プロッタ
４４９  プロッタＩ／Ｆ
４８０  ドライブ装置
４８９  ドライブＩ／Ｆ
４９０  ハードディスク装置
【先行技術文献】
【特許文献】
【００６４】
【特許文献１】特開２００８−３９２５号公報
【図１】
2011109617.tif 000003
【図２】
2011109617.tif 000004
【図３】
2011109617.tif 000005
【図４】
2011109617.tif 000006
【図５】
2011109617.tif 000007
【図６】
2011109617.tif 000008
【図７】
2011109617.tif 000009
【図８】
2011109617.tif 000010
【図９】
2011109617.tif 000011
【図１０】
2011109617.tif 000012
【図１１】
2011109617.tif 000013
【図１２】
2011109617.tif 000014